(57)【要約】  【課題】  ラベルプリンタや計量ラベルプリンタに特別な部材を取り付けることなく、ラベルプリンタ等が元々備えている部材でラベルを仮着保持することができるラベルプリンタ、計量ラベルプリンタを提供することにある。  【解決手段】  ラベルプリンタや計量ラベルプリンタ等、接着層を有するラベルなどを発行する装置に装備される表示シートＡにおいて、装置名や装置に必要とされる数字や文字などが表示された表示シートの表面に、易剥離性を高める粘着性の少ない表面層４を設けてラベル仮着機能を備えた。  【選択図】      図４
2005025089.tif 000002
【特許請求の範囲】
【請求項１】
ラベルプリンタや計量ラベルプリンタ等、接着層を有するラベルなどを発行する装置に装備される表示シートにおいて、装置名や装置に必要とされる数字や文字などが表示された表示シートの表面に、易剥離性を高める粘着性の少ない表面層を設けてラベル仮着機能を備えていることを特徴とする表示シート。
【請求項２】
前記粘着性の少ない表面層は、シリコン層である請求項１記載の表示シート。
【請求項３】
請求項１又は２記載の表示シートを装置の前面或いは側面に配設したことを特徴とするラベルプリンタ。
【請求項４】
請求項１又は２記載の表示シートを装置の前面或いは側面に配設したことを特徴とする計量ラベルプリンタ。
【請求項５】
前記表示シートが、装置前面の下方位置又は下方の左右端部に配設されていることを特徴とする請求項３記載のラベルプリンタ。
【請求項６】
前記表示シートが、装置前面の下方位置又は下方の左右端部に配設されていることを特徴とする請求項４記載の計量ラベルプリンタ。
【請求項７】
前記表示シートが装置に装備された表示部付近に設けられ、その表示シートに少なくとも秤量、最小測定量、目量が表示されていることを特徴とする請求項４又は６記載の計量ラベルプリンタ。
【発明の詳細な説明】
【技術分野】
【０００１】
本発明は接着層を有したラベルを発行するラベルプリンタや計量ラベルプリンタ等に設けられる表示シート、及びその表示シートを備えたラベルプリンタ、計量ラベルプリンタに関する。
【背景技術】
【０００２】
接着層を有するラベルを発行するラベルプリンタや計量ラベルプリンタを扱うお店のオペレータによっては、必要なラベルを最初にまとめて発行し、その発行したラベルを一時的にラベルプリンタ本体や計量ラベルプリンタ本体、或いはラベルプリンタや計量ラベルプリンタが載っているテーブル等に仮着し、その後それらのラベルを剥がして対象物に貼付するという作業をしている場合がある。
【０００３】
又、ラベルプリンタのメンテナンスなどの際に該ラベルプリンタのスペック内容などをラベルに印字し確認する場合があるが、そのような場合にもやはり一時的に、スペック内容などが印字されたラベルをラベルプリンタ本体や該ラベルプリンタが載せてあるテーブルに仮着する場合などがある。
【０００４】
しかしながら、従来のラベルプリンタや計量ラベルプリンタでは、発行されたラベルを仮着した場合、ラベルの接着層が仮着面に確りと接着してしまい、その後ラベルを対象物に貼るために仮着面から剥がそうとしても剥がすのに時間がかかったり、又、完全に剥がしきれずラベルプリンタ本体や計量ラベルプリンタ本体の仮着面にラベルの接着層（接着糊）が付着したまま残るといった場合がある。
【０００５】
そこで、ラベルプリンタ等から発行されたラベルを仮着する為の特別な部材（ラベル仮着体）が提案され、そうした特別な部材をラベルプリンタや計量ラベルプリンタ等の装置に設けることが知られているが、仮着専用の特別な部材を設けることはコストアップになり、且つ装置構造上、その部材の取り付け場所に制約を受け、どのようなラベルプリンタにも対応できるというものではない（例えば、特許文献１参照）。
【０００６】
【特許文献１】実開平３−３５２１号公報
【発明の開示】
【発明が解決しようとする課題】
【０００７】
本発明が解決しようとする課題は、ラベルプリンタや計量ラベルプリンタに特別な部材を取り付けることなく、ラベルプリンタ等が元々備えている部材でラベルを仮着保持することができるラベルプリンタ、計量ラベルプリンタを提供することにある。
【課題を解決するための手段】
【０００８】
上記課題を解決する為に本発明は、ラベルプリンタや計量ラベルプリンタが備える、モデル名や秤量等（計量法で規定されている表示項目）が表示された表示シートに着目し、この表示シートの表面に、粘着層の少ない表面層を設けてラベル仮着機能を備える（請求項１）。
この表示シートは一般的に、両面テープ層の上に印刷層、素地層（透明層）を形成したタイプと、両面テープ層の上に素地層（透明層）、印刷層を形成したタイプがあるが、何れのタイプにおいて最上層に表面層をコーティング形成する。
その粘着層の少ない表面層としては、シリコン層（請求項２）、或いはテフロン（登録商標）樹脂やフッ素樹脂等を使用することができる。
【０００９】
上記の如く構成した表示シートは、ラベルプリンタや計量ラベルプリンタの前面や側面に設ける（請求項３、４）。
特に表示シートを装置の前面に設ける場合は、装置前面の下方或いは左右の端部に設けるのがよい（請求項５、６）。
更に、計量ラベルプリンタの場合は計量データ等が表示される表示部を備えている為、前記表示シートは、表示部付近に設け、且つその表示シートには少なくとも計量法で規定されている表示項目の秤量、最小測定量、目量を表示する（請求項７）。
【発明の効果】
【００１０】
本発明によれば、粘着性の少ない表面層が表示シートの表面にコーティングされているので、表示シート本来の表示機能に、接着層を備えたラベルなどが仮着された場合でも簡単に綺麗に剥がすことができる易剥離性を備えた表示シートを提供できる。
そして、前記表示シートが設けられたラベルプリンタや計量ラベルプリンタでは、発行されたラベルを仮着する為の特別な部材やその部材を取り付ける為の特別なスペースを必要とせずに、ラベルを仮着することができる。
【００１１】
又、ラベルプリンタや計量ラベルプリンタで、表示シートを装置前面や装置側面に設けた場合は、発行されたラベルを仮着する作業をスムーズに行うことができる。
更に、表示シートを装置前面で、且つ、下方或いは左右の端部に設けた場合は、ラベルを仮着する場合、該ラベルの一部のみの仮着を簡単にすることができるので、ラベルを剥がす際にも容易にラベルを剥がすことができる。
【００１２】
また、計量ラベルプリンタでは、計量装置として表示部付近に表示義務となっている、秤量、最小測定量、目量が表示された表示シートを前記表示部付近に設けた場合は、該シート上にラベルを仮着することができるので、特別なスペースを設けることなくラベルを仮着することができる。その結果、装置の小型化に貢献することができる。
【発明を実施するための最良の形態】
【００１３】
表示シートは、ラベルプリンタや計量ラベルプリンタに対して貼着し得る両面テープ層の上に所定の表示項目を印刷した印刷層、更にその上に透明な素地層が形成され、その素地層の表面にシリコン層からなる表面層をコーティング形成したものとする。
【００１４】
又、前記の表示シートを設けた計量ラベルプリンタは、該計量ラベルプリンタの前面に装備された表示部（液晶タッチパネル）付近に貼付配置する秤量、最小測定量、目量が表示された表示シートとする。
【実施例１】
【００１５】
本発明の表示シートの実施例１を図１及び図２に基づいて説明する。
その表示シートＡは、図１に示すようにラベルプリンタや計量ラベルプリンタの製造メーカ名、製品名、製品型番等を表示する表示シートで、そのシートは図２に示すように両面テープ層１の表面に、所定の表示項目を印刷した印刷層２が積層形成され、その印刷層２の上に透明な素地層３が積層され、その素地層３の上に、粘着性の少ない表面層４がコーティング形成されて構成されている。
印刷層２の上に積層形成する素地層３は、ポリエステルやポリエチレンテレフタレート（ＰＥＴ）などを使用する。
又、表面層４はシリコン層が好ましいが、テフロン（登録商標）樹脂やフッ素樹脂を用いてもよい。
【００１６】
上記したように、シリコン層などの表面層４を最上部層とすることで、表示シートＡの非粘着性が担保されるので、ラベルを一時的に表示シートＡ上に付着したとしても、ラベルを容易に剥がすことができる。
【実施例２】
【００１７】
本発明の表示シートＡ’の実施例２を図３に基づいて説明する。
その表示シートＡ’は、構成部材は前示実施例１と同じであるが、積層の順番が異なる。即ち、両面テープ層１の表面に透明な素地層３を積層し、その素地層３の上に印刷層２を積層し、その印刷層２の上に粘着性の少ない表面層４がコーティング形成されたものである。
この積層構成とした表示シートＡ’は、前示実施例１と同様、表示シートＡ’の非粘着性が担保され、その下位層の印刷層２を保護して、印刷層２に表示された文字や数字が消えたりするのを防止できる。
【実施例３】
【００１８】
図４は前記した表示シートＡ又はＡ’を取り付けた計量ラベルプリンタＢを示す実施例で、計量ラベルプリンタＢの前面下方、更に詳しくは計量ラベルプリンタの前面に装備された表示部５の下側回りに、計量法で表示が義務付けられている「秤量、最小測定量、目量」を表示した表示シートＡ”（図５参照）を取り付けたものである。尚、図中、６はラベル発行口である。
この場合は、発行されたラベルＲの一部を表示シートＡ”に仮着できる。
【００１９】
又、上記表示シートＡ”は、表示部５の周囲一部に限らず、表示部５を囲む枠を構成するような場合は、表示部５を囲むように形成してもよい。
更に、粘着性の少ない表面層４をコーティング形成した表示シートは、表示部５の近傍に配置される数字や品番キー等から構成される所謂キーシートに施すようにしてもよい。
【００２０】
更に、表示シートＡ又はＡ’は、図４に示すように計量ラベルプリンタＢの側面に取り付けてもよい。
【産業上の利用可能性】
【００２１】
本発明は、接着層を有するラベル様のカードを発行し、その発行したカードを貼付対象物に貼付する前に一時的に仮着保持する必要性があるカード発行装置にも活用できる。
【図面の簡単な説明】
【００２２】
【図１】本発明に係る表示シートの一例を示す正面図である。
【図２】同表示シートの積層構造の一例を示す断面図である。
【図３】同表示シートの積層構造の他の例を示す断面図である。
【図４】表示シートを取り付けた計量ラベルプリンタの一例を示す斜視図である。
【図５】図４の表示部付近に取り付けた表示シートを示す正面図である。
【符号の説明】
【００２３】
Ａ，Ａ’，Ａ”…表示シート              Ｂ…計量ラベルプリンタ
１…両面テープ層                        ２…印刷層
３…素地層                              ４…表面層
５…表示部
【図１】
2005025089.tif 000003
【図２】
2005025089.tif 000004
【図３】
2005025089.tif 000005
【図４】
2005025089.tif 000006
【図５】
2005025089.tif 000007